Podtech/llm-jp-corpus-v4-ja_patent huggingface dataset:
(57)【要約】【課題】従来は、調理のために餅に熱を加えて、餅が柔らかくなった時に、餅が容器や他の食材等に付着しやすかった。この課題を解決するために、熱を加えて餅が柔らかくなった時に、容器や他の食材等に付着しない餅を作るのが目的である。【解決手段】餅（１）の表面を、小麦や米などの、餅米以外の穀物の層（２）で覆い、餅（１）が容器や他の食材等に接触することがないようにした。餅（１）に熱を加えて餅（１）が柔らかくなった時に、餅（１）が容器や他の食材等に付着することがないようにした。餅（１）を、小麦や米などの、餅米以外の穀物の層（２）と共に食べることができるようにした。【選択図】  図１
2004215642.tif 000002
【特許請求の範囲】
【請求項１】
餅（１）の表面を、小麦や米などの、餅米以外の穀物の層（２）で覆った、餅。
【発明の詳細な説明】
【０００１】
【発明の属する技術分野】
この発明は、餅の表面を、小麦や米などの、餅以外の穀物の層で覆った、餅に関するものである。
【０００２】
【従来の技術】
従来は、全体が餅であった。
【０００３】
【発明が解決しようとする課題】
従来の餅だと、調理のために餅に熱を加えた時に、餅が柔らかくなり、容器や他の食材等に付着しやすかった。
本発明は、以上のような欠点を解決することを課題として研究をすすめた。
【０００４】
【課題を解決するための手段】
餅（１）に熱を加えて餅（１）が柔らかくなった時に、餅（１）が容器や他の食材等に付着しないようにするには、餅（１）が容器や他の食材等に接触しないようにする必要がある。それで、餅（１）の表面を、小麦や米などの、餅米以外の穀物の層（２）で覆い、餅（１）が容器や他の食材等に接触しないようにするのが良いと考えた。餅米以外の穀物の層（２）は、熱を加えても、餅（１）のように容器や他の食材等に付着することがない。餅米以外の穀物の層（２）で覆われた餅（１）は、そのまま熱を加えて調理することができる。容器や他の食材等に付着することがなく、餅（１）を、餅米以外の穀物の層（２）と共に食べることができるようにした。
【０００５】
【発明の実施の形態】
以下、本発明の実施の形態について説明する。餅（１）の表面を、小麦や米などの、餅米以外の穀物の層（２）で覆う。
本発明は以上のような構成であるから、餅（１）に熱を加えて餅（１）が柔らかくなった時に、餅（１）が容器や他の食材等に接触しないので、餅（１）が容器や他の食材等に付着することがない。
【０００６】
【発明の効果】
本発明を使用することによって、餅に熱を加えて餅が柔らかくなった時に、餅が容器や他の食材等に接触しないので、餅が容器や他の食材等に付着することがない。餅を覆っているのが、餅米以外の穀物の層なので、そのまま熱を加えて調理することができる。餅を、餅米以外の穀物の層と共に食べることができる。
【図面の簡単な説明】
【図１】本発明の断面図
【図２】従来の餅の断面図
【符号の説明】
（１）は餅
（２）は餅米以外の穀物の層
【図１】
2004215642.tif 000003
【図２】
2004215642.tif 000004
(57)【要約】脱臭ニンニク液で高麗人参の成分を抽出した人参成分ニンニク液で醸造酒を製造する方法従来の技術ニンニクが人体に有益な食物であることは、一般に広く知られている、しかるに特有な悪臭により、脱臭しないニンニク液で高麗人参の成分を抽出することは従来製造されてないし又ニンニクの悪臭の中には、ガンの促進物が含まれていることもあり人参成分抽出は不可能であった。発明が解決しようとする課題しかるに本件の発明者及出願人の本人が特許第２７５２８４２号登録済発明の名称、脱臭ニンニク液の製造方法および包装方法による、ニンニク液を利用して、高麗人参より成分を抽出しその人参成分抽出ニンニク液に対して、酒母と蒸し米・米麹を加えて人参成分抽出ニンニク酒の醸造方法を発明したものである【特許請求の範囲】
【請求項１】
脱臭ニンニク液で高麗人参の根の部と、葉の部を区別してそれぞれ人参根成分抽出ニンニク液及人参葉成分抽出ニンニク液を製造する方法。
【請求項２】
酒母と蒸し米と米麹に、人参根成分抽出ニンニク液及人参葉成分抽出ニンニク液を、それぞれ区別して加え区別したドブロクを仕上げ、アルコールを発生させ醸造酒を作り出すことを特徴とする、人参根成分抽出ニンニク液及人参葉成分抽出ニンニク液で醸造酒を製造する方法。
【発明の詳細な説明】
【発明の属する技術分野】
本発明は、ニンニク液で高麗人参の成分を抽出し、その人参成分抽出ニンニク液で醸造酒を製造する方法に関するものである。
【従来の技術】
ニンニクが人体に有益な食物であることは、一般に広く知られている、しかるに特有な悪臭により、脱臭しないニンニク液で高麗人参の成分を抽出することは従来製造されてないし又ニンニクの悪臭の中には、ガンの促進物が含まれていることもあり人参成分抽出は不可能であった。
【発明が解決しようとする課題】
しかるに本件の発明者及出願人の本人が特許第２７５２８４２号登録済発明の名称、脱臭ニンニク液の製造方法および包装方法による、ニンニク液を利用して、高麗人参より成分を抽出しその人参成分抽出ニンニク液に対して、酒母と蒸し米・米麹を加えて人参成分抽出ニンニク酒の醸造方法を発明したものである
【発明の実施の課題】
以下、本発明を実施例を参照しながら具体的に説明する。まず、脱臭ニンニク液について、前項に述べた如く本件の出願人が発明したニンニク液を利用して、高麗人参に対する仕業による作業製造方法によるものである。
当初、脱臭ニンニク液を約７．２ｌ沸煮させその時点に
（１）高麗人参根の生のスライス５０ｇ又はスライス乾燥粉末３０ｇ
（２）高麗人参葉の生の物５０ｇ又は葉の乾燥粉末３０ｇを各それぞれいずれも区分けして投入し、更に生の場合と乾燥の場合とに区別する。生の場合は沸煮時に２０〜３０分、粉末の場合は２０分程度沸煮させ、人参の成分を抽出させるものである。次に抽出された成分の液体だけを分離採取し冷して、根、葉のそれぞれの抽出成分を採取するのであるが、約７ｌの濃度の濃い茶褐色の多少苦味の薬品気味の人参成分抽出ニンニク液が採取されるのである。
以上の作業工程により抽出された７ｌの液体に対し、根、葉ごとに酒母４００ｇ、蒸し米３．５ｋｇ、米麹１．２ｋｇ、を加えてドブロク（モロミ）を仕上げて清酒を作り出すものである。ドブロク仕込み後２〜３日すると、仕込みは徐々に発酵し炭酸ガス、が発生する。特に冬場は室内を１５〜１８度、ドブロクの中身の途中変化も生じるが平均して１７〜１８度程度に温度調整を行う。一ヶ月前後でドブロクはアルコールの強い水溶性のシャブシャブ状態になって酒の臭気、アルコールの臭気をさかんに発生させる。
この項にドブロクを完全にしぼり、液体（にごり酒）としぼり粕に分離させ、更ににごり酒をろ過して透明液体（清酒）約５ｌアルコール％約１５度〜１６度を採取する。すなはち、これが人参成分抽出ニンニク酒である。
以上説明の如き作業工程によりニンニク液を用いて高麗人参の成分を抽出して作り出された人参成分抽出ニンニク酒の醸造酒製造方法の発明である。
【発明の効果】
清酒の成分、ニンニクの成分、人参の成分、これらの相乗効果は絶大なものであり、特に、ニンニク、人参は強肝成分に富み、それに反してアルコール酒類飲酒による弊害を逆に本発明の飲酒によって健康を保持する事や又はニンニクの臭はガンの促進物を含んでいることなどに対する事等人体に対する有効なる効果をもたらすものであり、更に又産業開発に対する期待も大いなるものである。
(57)【要約】【課題】植物の名札が抜けて紛失することがなく，設置場所が見易い位置のため，名前が容易に分かる植物の名札を提供する。【解決手段】円筒状の名札（１）を，容器（２）の上部周縁の折目（５）に沿って内側に折り曲げるのを特徴とする。【選択図】    図１
2004215631.tif 000002
【特許請求の範囲】
【請求項１】
容器（２）の上部に容器（２）の上部と同一形状で円筒状のものを対称的に付け一体とした円筒状の名札（１）。
【発明の詳細な説明】
【０００１】
【発明の属する技術分野】
この発明は，植物の名札が容器と一体のため，紛失することがない，植物の名札に関するものである。
【０００２】
【従来の技術】
従来より，植物の名札は，板状のもので土に挿し込む名札であった。
【０００３】
【発明が解決しようとする課題】
これは次のような欠点があった。
（イ）  抜けて紛失し，名札に書いてある植物の名前が分からなくなることが多い。
（ロ）  容器を並べた場合は，植物が重なりあって名前が容易に見えない。
本発明は，これらの欠点を解決するためになされたものである。
【０００４】
【課題を解決するための手段】
円筒状の名札（１）部分を，容器（２）の上部周縁に沿って内側に折り曲げる。
本発明は，以上のような構成よりなる植物の名札である。
【０００５】
【発明の実施の形態】
以下，本発明の実施の形態について説明する。
（イ）  すり鉢状容器（３）の場合は，すり鉢状容器（３）の上部周縁に沿って円筒状の名札（１）を上部周縁の内側に折り込む。
（ロ）  円筒状容器（４）の場合は，円筒状容器（４）の上部周縁に沿って円筒状の名札（１）を上部周縁の内側に折り込む。
（ハ）  円筒状の名札，（１）と容器（２）の上部周縁の境界に予め折目（５）を付けておき折り易くする。
【０００６】
【発明の効果】
本発明を使用することによって，円筒状の名札（１）が抜けて紛失することなく，容器（２）を並べても円筒状の名札（１）に書いてある植物の名前が容易に分かる。
【図面の簡単な説明】
【図１】本発明の円筒状の名札の斜視図である。
【図２】本発明の円筒状の名札の実施例を示す断面図である。
【図３】本発明の円筒状の名札の実施例を示す斜視図である。
【図４】本発明の円筒状の名札の実施例を示す断面図である。
【符号の説明】
１  円筒状の名札
２  容器
３  すり鉢状容器
４  円筒状容器
５  折目
【図１】
2004215631.tif 000003
【図２】
2004215631.tif 000004
【図３】
2004215631.tif 000005
【図４】
2004215631.tif 000006
(57)【要約】【課題】ビールの泡やワイン等の果実酒の泡を丁度良い具合に泡立てることを可能にすること。【解決手段】アルコール発酵の多くは下面発酵であり、もろみの底に酵母が沈澱してアルコール発酵を行っている。しかし、同じ酵母でも養分が無くなると胞子を形成し休眠状態になるが、また養分が添加されると活発に上面発酵することが知られている。この養分が無くなった時の飢餓状態の酵母に糖類を添加して、再度発酵させることにより、適度な泡を発生させることができる。【特許請求の範囲】
【請求項１】
Ｓａｃｃｈａｒｏｍｙｃｅｓ  ｃｅｒｅｖｉｓｉａｅ、Ｓ．ｓａｋｅ、Ｓ．ｕｖａｒｕｍ、Ｓ．ｆｏｒｍｏｓｅｎｓｉｓ等の酵母入りの飲料に、飲む時にブドウ糖顆粒、グラニュー糖顆粒等の糖類を添加して飲む、酵母入り飲料に糖類を添加して飲む発泡酒。
【請求項２】
酵母入り飲料は、米、麦、根菜類由来のもろみ又は果汁若しくは糖液に、人為的に酵母を接種又は天然酵母の混入により発酵したものであることを特徴とする請求項１の酵母入り飲料に糖類を添加して飲む発泡酒。
【請求項３】
酵母入り飲料は、エチルアルコール度数が２〜１５容量％であることを特徴とする請求項１の酵母入り飲料に糖類を添加して飲む発泡酒。
【請求項４】
添加する糖類は、ブドウ糖顆粒、グラニュー糖顆粒、ショ糖、果糖、黒砂糖顆粒、蜂蜜、果糖ブドウ糖液糖又は水飴より選ばれた１種類以上であることを特徴とする請求項１の酵母入り飲料に糖類を添加して飲む発泡酒。
【請求項５】
この発泡酒は、二酸化炭素を瓶等に加圧封入し、開栓時にその加圧封入した二酸化炭素を解放して発泡させる発泡酒ではないことを特徴とする請求項１の酵母入り飲料に糖類を添加して飲む発泡酒。
【発明の詳細な説明】
【０００１】
【発明の属する技術分野】本発明はアルコール飲料の発泡に関する。
【０００２】
【従来の技術】従来、発泡性のアルコール飲料と言えば、ビール及びスパークリングワインが代表的であり、焼酎を炭酸水で割って個人的に発泡を楽しむことも行われていた。
【０００３】
ビールは、麦芽を糖化させ、その濾過した糖液にホップを入れ煮沸し、冷めてからビール酵母を入れて発酵させたものであり、貯酒工程はあるものの、発酵から勘定しても１〜２ケ月で飲まれているアルコール飲料である。それ故に、ビール中に溶けている二酸化炭素が発散することもなく、コップに注いだ時に初めてその二酸化炭素が発散するのである。そして、ビールは発酵酒であるためにデキストリンやタンパク質を含み、ホップ由来のイソフムロンとの結合により、その二酸化炭素を膜で覆ってしまうのである。これが、いわゆる「ビールの泡」である。
【０００４】
スパークリングワインは、ワインの製法とほとんど同じ発酵酒である。葡萄を搾ってそのまま発酵させれば、葡萄の搾り汁の糖分と葡萄果実に付着している天然酵母の天の恵みにより、冷涼な気候条件下でも発酵し、ワインができあがるのである。このワインに加糖して更に発酵させ、瓶に封入したものがスパークリングワインである。発酵しているので二酸化炭素は発生しているのだが、瓶の気体部分が少ないため、その気体部分は相当高い気圧になっており、またワイン溶液にも、その気圧に比例する形で溶け込んでいるのである。そして、瓶のコルク栓を開ける時に、爆発的にスポンという音とともに二酸化炭素が解放されるのである。この時の泡は、ワイン溶液中の二酸化炭素が出切るまで発泡するのだが、保持性のない泡で、すぐに弾けて消えてしまう泡である。
【０００５】
【発明が解決しようとする課題】夏場の暑い盛りに飲む一杯のビールは、何ものにも代え難い至福の味がするものである。が、もし、そのビールが戸外に置きっぱなしになっていたとしたら、ビールをグラスに注いだとたんに至福の想いは幻滅に変わってしまうだろう。つまり、グラスは泡だらけとなり、底の方に少しだけビールが貯まっている状況になっているのだから。また、冷蔵庫を利かせ過ぎて、冷た過ぎるビールも味気ないものである。グラスにビールを注いでも、泡が立たず、琥珀色の水面が広がっているグラスというのも何とも寂しい限りである。そして、冬場のビールというのも、体を冷やすということで敬遠されているという事実があった。
このように、ビールを始めとする発泡性のアルコール飲料は、冷め過ぎず、暖かからず、夏場に飲むものと相場が決まっていた。そこで、このような常識を打ち破り、夏冬問わず、泡立てが巧い具合に出来、冬場でも体を冷やすことなく、ビールを味わえるようにしようとするものである。
【０００６】
【課題を解決するための手段】本発明者は、これらの課題を解決するために発酵が終了したビール、スパークリングワイン、果実酒、その他のアルコール飲料を濾過しないか又は上面発酵する酵母が含まれている上澄液をそのまま瓶詰又は缶詰にして、エンドユーザーの飲酒時に、酵母の一番活動する温度であるところの２０〜３０℃ぐらいに暖めてやり、且つ、発酵を終えてから養分を与えられていない飢餓状態の酵母にグラニュー糖顆粒、ブドウ糖顆粒等の養分を与え、爆発的な発酵をすることにより、二酸化炭素の泡が沸き上ってくる。このように、生きた酵母を利用して発泡するのであるから、泡だらけであるとか泡が立たないといった弊害は解消される。また、ビールにお燗をするようなものなので、冬場のビールが体を冷やすということもなくなるのである。
【０００７】
【発明の実施の形態】以下、本発明について詳細に説明する。本発明で使用するアルコール飲料はワインであるが本発明はこれに限るものではない。また、本発明で使用する酵母は、Ｓａｃｃｈａｒｏｍｙｃｅｓ  ｃｅｒｅｖｉｓｉａｅであるが本発明はこの種に限るものでもない。そして、本発明で使用する糖類はグラニュー糖顆粒であるが本発明はこの糖に限るものでもない。
【０００８】
次に、発泡性ワインの製造法であるが、ガラス瓶に葡萄搾汁液５００ｍｌとＳ．ｃｅｒｅｖｉｓｉａｅ  １ｇを入れて、３０℃の湯煎に入れて発酵させる。３〜５日間発酵させると葡萄搾汁液の糖分がエチルアルコールと二酸化炭素に変化する。このワインを打栓してから、５℃前後の冷涼な場所に保管する。その後、７〜６０日後にワインを保管場所から取り出し、開栓してから２５〜３０℃の湯煎にかけてワインを暖める。それから、ワイングラスに暖められたワインを注ぎ、グラニュー糖顆粒２ｇを添加してやる。すると、飢餓状態の酵母が盛んに上面発酵して、グラスの縁に届くぐらい二酸化炭素の泡を沸き上げる。
【０００９】
本発明は、発泡酒としての飲料に限らず、酵母の出す酵素が糖類を容易にアルコールと二酸化炭素に変化させることを教える教材として、また、生きた酵母を食べることによる健康増進の効果も期待でき、そして、マジック・ショーなどの集客の道具としての応用も予想される。
【００１０】
【発明の効果】本発明の酵母入り飲料に糖類を添加して飲む発泡酒はビール、ワイン又は果実酒等のアルコール飲料に含まれる、養分が無くなり胞子を形成した酵母に糖類を添加し、再度発酵させるという全く新しい観点から見つめ直し、驚きと感動と健康をもたらす発泡性アルコール飲料になるものである。
(57)【要約】【課題】本発明は、スライダックを用いることなく抵抗負荷を可変とし、負荷装置を小型・安価とすることを目的とする。【解決手段】本発明によるサーボモータ用負荷装置は、負荷モータ（１１）に接続された三相ブリッジダイオード回路（３０）と、この三相ブリッジダイオード回路（３０）の出力（３０ａ）に接続された抵抗負荷（１３）及びパワー素子（３１）とを備え、このパワー素子（３１）にＰＷＭ信号（３２）を印加して負荷モータ（１１）のブレーキ力を可変とする構成である。【選択図】        図１
2004215386.tif 000002
【特許請求の範囲】
【請求項１】
被試験用のサーボモータ（２）に対して負荷モータ（１１）を接続し、前記サーボモータ（２）に負荷を与えるようにしたサーボモータ用負荷装置において、
前記負荷モータ（１１）に接続された三相ブリッジダイオード回路（３０）と、前記三相ブリッジダイオード回路（３０）の出力（３０ａ）間に互いに直列に接続された抵抗負荷（１３）及びパワー素子（３１）とを備え、前記パワー素子（３１）にパルス幅変調信号（３２）を印加することにより、前記抵抗負荷（１３）を流れる負荷電流を制御し、前記負荷モータ（１１）のブレーキ力を可変とするように構成したことを特徴とするサーボモータ用負荷装置。
【請求項２】
前記パワー素子（３１）は、パワーＭＯＳＦＥＴからなることを特徴とする請求項１記載のサーボモータ用負荷装置。
【発明の詳細な説明】
【０００１】
【発明の属する技術分野】
本発明は、サーボモータ用負荷装置に関し、特に、被試験用のサーボモータに接続した負荷モータのブレーキ力をスライダックを用いないで可変とすることにより、小型で安価とするための新規な改良に関する。
【０００２】
【従来の技術】
従来、用いられていたこの種のサーボモータ用負荷装置としては、社内で製作していたため、その構成を示す特許文献及び非特許文献は開示していないが、図２で示される負荷装置が採用されていた。
すなわち、図２において符号１で示されるものは試験用モータ・ドライバであり、この試験用モータ・ドライバ１の被試験用のサーボモータ２には、三相駆動型のドライバ３が接続されている。
前記サーボモータ２に設けられたシャフトエンコーダ４からのエンコーダ信号４ａは前記ドライバ３に取り込まれるように構成されている。
【０００３】
前記サーボモータ２には、負荷装置１０の負荷モータ１１が機械的に接続され、この負荷モータ１１には、三相のスライダック１２を介して三相の抵抗負荷１３が接続されている。
従って、サーボモータ２を駆動することにより、負荷モータ１１が連動して回転し、スライダックを操作することによって負荷モータ１１の発生電圧を制御し、抵抗負荷１３に与える電圧を制御して負荷モータ１１のブレーキ作用をコントロールしていた。
【０００４】
【発明が解決しようとする課題】
従来のサーボモータ用負荷装置は、以上のように構成されているため、次のような課題が存在していた。
すなわち、負荷モータに接続したスライダックによって電圧制御を行っていたため、このスライダックが大型となり、負荷装置１０自体の小型化が困難であった。
また、サーボモータの容量に応じてスライダックの容量を変える必要があり、大型とした場合には、より一層高価となっていた。
【０００５】
本発明は、以上のような課題を解決するためになされたもので、特に、被試験用のサーボモータに接続した負荷モータのブレーキ力をスライダックを用いないで可変とすることにより、小型で安価としたサーボモータ用負荷装置を提供することを目的とする。
【０００６】
【課題を解決するための手段】
本発明によるサーボモータ用負荷装置は、被試験用のサーボモータに対して負荷モータを接続し、前記サーボモータに負荷を与えるようにしたサーボモータ用負荷装置において、前記負荷モータに接続された三相ブリッジダイオード回路と、前記三相ブリッジダイオード回路の出力間に互いに直列に接続された抵抗負荷及びパワー素子とを備え、前記パワー素子にパルス幅変調信号を印加することにより、前記抵抗負荷を流れる負荷電流を制御し、前記負荷モータのブレーキ力を可変とするようにした構成であり、また、前記パワー素子は、パワーＭＯＳＦＥＴからなる構成である。
【０００７】
【発明の実施の形態】
以下、図面と共に本発明によるサーボモータ用負荷装置の好適な実施の形態について説明する。尚、従来例と同一又は同等部分には同一符号を用いて説明する。
図１において符号１で示されるものは試験用モータ・ドライバであり、この試験用モータ・ドライバ１の被試験用のサーボモータ２には、三相駆動型のドライバ３が接続されている。
前記サーボモータ２に設けられたシャフトエンコーダ４からのエンコーダ信号４ａは前記ドライバ３に取り込まれるように構成されている。
【０００８】
前記サーボモータ２には、負荷装置１０の負荷モータ１１が機械的に接続され、この負荷モータ１１には、三相構成の周知の整流回路である三相ブリッジダイオード回路３０が接続されている。
前記三相ブリッジダイオード回路３０の出力３０ａ間には、単体の抵抗負荷１３とパワーＦＥＴ等の周知のパワー素子３１が互いに直列接続されている。
前記パワー素子３１には、周知のパルス幅変調（ＰＷＭ）方式によるパルス幅変調信号３２が入力されている。
【０００９】
次に、動作について述べる。まず、図１の状態で、試験用モータ・ドライバ１のサーボモータ２を駆動すると、このサーボモータ２に接続された負荷モータ１１が従動回転する。
この負荷モータ１１の回転により発生する三相電圧１１ａは、三相ブリッジダイオード回路３０によって単相電圧に変換された出力３０ａとなる。
この出力３０ａ間には、互いに直列に接続された抵抗負荷１３とパワー素子３１が接続され、この状態でパルス幅変調信号３２がパワー素子３１に入力されることに抵抗負荷１３を流れる負荷電流が制御され、負荷モータ１１のブレーキ力を可変とし、サーボモータ２の負荷状態を可変として負荷試験を行うことができる。
【００１０】
【発明の効果】
本発明によるサーボモータ用負荷装置は、以上のように構成されているため、次のような効果を得ることができる。
すなわち、負荷装置を三相ブリッジダイオード回路、抵抗負荷及びＰＷＭ信号制御型のパワー素子で構成したため、従来のスライダックを用いる構成と比較すると、大幅に小型かつ低価格化される。
また、負荷電流を簡単に可変とすることができ、従来のスライダックのように大型化する必要がなく、構成を大幅に簡略化できる。
【図面の簡単な説明】
【図１】本発明によるサーボモータ用負荷装置を示す構成図である。
【図２】従来構成を示す構成図である。
【符号の説明】
２    サーボモータ
１１    負荷モータ
１３    抵抗負荷
３０    三相ブリッジダイオード回路
３０ａ    出力
３１    パワー素子
３２    パルス幅変調信号
【図１】
2004215386.tif 000003
【図２】
2004215386.tif 000004
(57)【要約】【課題】親局と、親局と無線回線を介して接続される複数の子局とを含む無線システムにおいて、親局がポーリング信号を各子局に向けて送信したとき、ポーリング信号に対する各子局からの応答信号がぶつかり合う確率を低減させることを目的とする。【解決手段】親局がポーリング信号を送信後、各子局ではボタンを押下した直後の所定数のスロット（例えば、１０個のスロット）の内の１つを選択し、選択したスロットを使って応答信号を送信することにより、応答信号がぶつかり合う確率を低減させる。【選択図】図３
2004215175.tif 000002
【特許請求の範囲】
【請求項１】
無線回線を用いて、親局装置から複数の子局装置へ信号を伝送し、該信号に対する応答を各子局装置が返送し、前記応答を親局装置が収集する無線システムの収集方式において、前記応答を効率良く前記親局装置が収集するようにしたことを特徴とする収集方式。
【発明の詳細な説明】
【０００１】
【発明の属する技術分野】
本発明は無線回線を用いて子局装置（以下、子局と称する）が返送する応答を効率良く収集する方式に関するものである。
【０００２】
【従来の技術】
親局装置（以下、親局と称する）より所定の情報（例えばタクシー無線では、指定地域情報）を各子局に対して伝送し、伝送された情報に合致する子局（例えばタクシー無線では、親局が指定した地域内に存在する子局（タクシー））は、ボタンが押下されることにより親局へ応答することにより、親局が各子局の応答を収集する無線システムがある。各子局の応答を収集する従来の収集方式として、任意発呼による収集方式と、スロットを用いた収集方式がある。
【０００３】
任意発呼による収集方式は、各子局はボタンが押下された後すぐに親局に対して応答する収集方式である。一方、スロットを用いた収集方式は各子局が応答するときに用いるスロットを設けて応答する順番を決める収集方式である。
【０００４】
スロットを用いた収集方式の一例について図２を用いて説明する。図２は、従来の一例である収集方式（スロットを用いた収集方式）を示すタイムチャートである。親局より情報Ｉを送信後、子局がボタン押下するための応答時間を設け、応答時間内にボタンを押下した子局は、１０個有る内の１個の子局送信用スロット（Ｓ１〜Ｓ１０のいずれかのスロット）を選択して送信する。子局送信用スロットの選択はランダムである。
【０００５】
【発明が解決しようとする課題】
前述の任意発呼による収集方式では、各子局は応答するタイミングを決める必要がないものの、複数の子局が同時に応答した場合、各子局からの送信信号がぶつかることにより、応答を全て収集できなくなる。そして、子局の台数が多い場合、応答を全て収集できなくなる確率が高くなるという欠点がある。
【０００６】
一方、スロットを用いた収集方式では、各子局が子局送信用スロットをランダムに選択することにより、各子局はどの子局送信用スロットを使って応答するかは決まっていない。その結果、子局の台数が少ない場合、各子局からの送信信号がぶつかる確率は低いものの、子局の台数が多い場合、各子局からの送信信号がぶつかる確率が高くなり、応答を全て収集できなくなる確率が高くなるという欠点がある。
【０００７】
そこで本発明では、子局の台数が多くなっても各子局からの送信信号がぶつかる確率を低減させることにより応答を全て収集できる確率を高くすることを目的とする。
【０００８】
【課題を解決するための手段】
本発明は、前述の目的を達成するために、親局が情報送信後、子局の扱者が親局の情報に合致すると判断して操作した場合、操作したタイミングの直後の所定数（実施例では１０個）の子局送信用スロットの内の１個をランダムに選択し、選択した子局送信用スロットを用いて応答するようにしたものである。その結果、子局の台数が多くなると子局送信用スロットの数が増えることにより、各子局からの送信信号がぶつかる確率を低減させることができるため、応答を全て収集できる確率が高くなる。従って、応答を効率良く収集することができるようになる。
【０００９】
【発明の実施の形態】
以下、本発明の一実施例である収集方式について図１、３〜５を用いて説明する。  図１は子局をｎ台（ｎ＝２６）有する無線システムの構成を示すブロック図、図３は本発明の一実施例である収集方式を示すタイムチャート、図４は従来の一例である収集方式の具体例を示すタイムチャート、図５は本発明の一実施例である収集方式の具体例を示すタイムチャートである。
【００１０】
まず、本実施例の収集方式での動作について図１、３を用いて説明する。子局（子局Ａ〜子局Ｚ）は親局からの情報Ｉを受信した後すぐに、図３に示すように子局送信用スロットを応答時間内に設けることにより、応答時間内にボタンを押下したら、ボタンを押下した直後の１０個の子局送信用スロットから１個の子局送信用スロットをランダムに選択する。そして、選択した子局送信用スロットを用いて応答する。
【００１１】
次に、本実施例の収集方式の効果について図４、５を用いて説明する。図４に示すように従来の収集方式（スロットを用いた収集方式）で、応答時間を３秒、子局送信用スロット時間を１００ミリ秒とすると、図中のタイミングでボタンが押下されることにより５台の子局が応答した場合、各子局からの送信信号がぶつからずに親局に伝送される確率は下記▲１▼式に示す通りである。
【００１２】
１×（９／１０）×（８／１０）×（７／１０）×（６／１０）＝０．３０２４        ・・・▲１▼
一方、図５に示すように本実施例の収集方式で、応答時間を３秒、子局送信用スロット時間を１００ミリ秒とすると、図中のタイミングでボタンが押下されることにより５台の子局が応答した場合、各子局からの送信信号がぶつからずに親局に伝送される確率は下記▲２▼式に示す通りである。
【００１３】
１−（３／１００＋３／１００＋５／１００＋１／１００＋６／１００）＝０．８２      ・・・▲２▼
▲１▼、▲２▼を比較した結果、子局からの送信信号がぶつからずに親局に伝送される確率は、本実施例の収集方式の方が従来の収集方式よりも５０％以上高くなる。従って、子局の応答を全て収集できる確率は本実施例の収集方式の方が高くなる。
【００１４】
以上のように、本実施例の収集方式の方が従来の収集方式よりも応答を効率良く収集することが出来る。
【００１５】
【発明の効果】
以上のように本発明によれば、子局からの送信信号がぶつからずに親局に伝送される確率が高くなることにより、子局の応答を全て収集できる確率が高くなる。従って、応答を効率良く親局が収集することができるようになる。
【図面の簡単な説明】
【図１】無線システムの構成を示すブロック図。
【図２】従来の一例である収集方式を示すタイムチャート。
【図３】本発明の一実施例である収集方式を示すタイムチャート。
【図４】従来の一例である収集方式の具体例を示すタイムチャート。
【図５】本発明の一実施例である収集方式の具体例を示すタイムチャート。
【符号の説明】
Ｉ：情報
Ｓ１〜Ｓ４０：子局送信用スロット
Ｓｙ−３〜Ｓｙ＋１１：子局送信用スロット
【図１】
2004215175.tif 000003
【図２】
2004215175.tif 000004
【図３】
2004215175.tif 000005
【図４】
2004215175.tif 000006
【図５】
2004215175.tif 000007
(57)【要約】【課題】本発明は、従来のマスクと違い、呼吸がしやすいファッション性の豊かなマスクを作ることにある。【解決手段】マスク本体１をボックス状にして、その本体部分１にはいろんな絵柄や色彩をほどこし、見た目の良いファッション性の豊かなマスクにして、呼吸をする部分５には花粉や塵を通さないようにフィルターを付け、排気口７には呼吸をするとき、外から空気や塵が入らないように弁を付ける。これにより息を吸うときは排気口７の弁が閉まり、呼吸をする部分５から花粉や塵を除いた空気を吸う。そして息を吐くときは、呼吸をする部分５と排気口７より息が出て行く。特に、くしゃみをしたときは排気口７の弁が開いて、くしゃみをスムーズに吐き出すことが出来るので、マスクが飛ぶのを抑えられる。この排気口７の機能により、人間が普段する呼吸の、息を吸うときはゆっくりと吸い吐くときはすばやく吐くという自然な動きに合った呼吸のしやすいマスクが出来た。【選択図】        図６
2004215996.tif 000002
【特許請求の範囲】
【請求項１】
鼻と口を覆うようなカバーに呼吸をする為の開口部を設け，その部分は通気性があり、尚且つ花粉などが通りにくいもので塞ぐ、その上で排気用の穴を別に設け、その部分には外から空気が入らないように、弁をつけたマスクである。
【発明の詳細な説明】
【０００１】
【発明が属する技術分野】
本発明は、鼻と口を覆うマスクに、弁を付けた排気用の開口部を設けることで呼吸が自然な形で、できるようにしたマスクである。
【０００２】
【従来の技術】
従来のマスクは、通気性のある布等で鼻と口を覆う物が多く。顔全体を覆うような特殊な物もある。
【０００３】
しかし、一般に使われているマスクは、通気性が良い代わりに、花粉など細かい粒子のものは、マスクと顔の隙間から進入するため役に立たず、花粉対策用のマスクは呼吸がしにくかったり、ファッション性に劣ったりする。
【０００４】
【発明が解決しようとする課題】
解決しようとする問題点は、マスクにおける、ファッション性と呼吸のしやすさである。
【０００５】
【課題を解決するための手段】
本発明は、鼻と口を覆うタイプのマスクに、息を呼吸する為の開口部とは別に息を吐き出すためだけの開口部を作り、その上で外部から空気が入らないように弁を付けて、自然に楽な形で呼吸のできるようにした。また、外側のカバーには、いろいろは色彩を施すことができ、見た目の良いマスクを作る事ができる。
【０００６】
【発明の実施の形態】
人間が呼吸をするときの動きをみると普通、息を吸うときは割とゆっくり吸い込み、逆に吐くときはすばやく吐き出すような動きになる。そこで本発明のマスクは、息を吐き出す動きに合わせ弁が開くようにできた開口部を別に設けることで、呼吸を自然な形で出来るようにした。
【０００７】
【実施例】
図６は、本発明のマスクを付けた状態の断面図であるが、息を吐くときは符号７の部分の弁が開き、息が吐き出され、息を吸い込むときは逆に弁が閉まり、符号５の部分より花粉などの塵を遮断して空気だけを吸うようにするものである。
【０００８】
【発明の効果】
以上説明したように本発明のマスクは、人の呼吸にあわせた機能を持つことで、呼吸のしやすいマスクになった。また、くしゃみをしたときも符号７の部分の弁が開き、くしゃみをスムーズに吐き出すことができる。
【図面の簡単な説明】
【図１】マスクの正面図である。
【図２】マスクの裏面図である。
【図３】マスクの側面図である。
【図４】マスクの上面図である。
【図５】マスクの下面図である。
【図６】マスクの横断面図である。（実施例）
【符号の説明】
１    マスク本体
２    取り付けゴムひも
３    顔との密封性を上げる弾力性のあるもの
４    呼吸をする部分
５    内側につけるガーゼ
６    排気口
【図１】
2004215996.tif 000003
【図２】
2004215996.tif 000004
【図３】
2004215996.tif 000005
【図４】
2004215996.tif 000006
【図５】
2004215996.tif 000007
【図６】
2004215996.tif 000008
(57)【要約】      （修正有）【課題】駆動系に使用する同期モーターにおいて必要とされる出力特性、耐久性、保守性、電力消費率などの向上を図る。【解決手段】永久磁石形同期モーターのロータ及びステータをそれぞれ円筒形の構造とし回転磁界を発生するステータを内側に配置しその外部を永久磁石形ロータが同期回転する。このため半径トルクが大きく出来る。またヨークの構造をコの字形にし内部に中空構造を作り冷却向上や保守のしやすい構造とした。また初期位置検出のためロータシャフト部に回転板（光磁気デスク）と読み取り用の光学ヘッド（光磁気デスク用光学ヘッド）を取り付け制御装置にてステータの電磁子コイルの制御を行う構造とした。【選択図】        図１
2004215448.tif 000002
【特許請求の範囲】
【請求項１】
円筒形ステータコアの外周表面付近に回転磁界形成用の電機子コイルを巻装してなるステータと、その外周を円筒形にしたロータで構成され、ロータシャフトを片側とし、もう一方は円筒ドーナツ状の中空構造としている。
【請求項２】
請求項１においてステータ及びロータ形状を円筒形としシャフトをなくす事により、ヨークの形状をコの字形とし中空スペースを作り出し、内部冷却の向上を図る。
【請求項３】
同期モーターの回転座標制御において、初期位置及び低回転時の制御をロータコアシャフト部の光磁気デスクを光学レンズヘッドで読み取り電子制御装置より電機子コイルへ通電する。
【発明の詳細な説明】
【０００１】
【発明が属する技術分野】
本発明は、駆動系モーターの必要性能を向上させるものである。
【０００２】
【従来の技術】
永久磁石同期モーターはステータコアの内周または外周の表面付近に回転磁界形成用の数個の集中巻きされた電機子コイルを巻装してなるステータの内部を永久磁石で構成されるロータが回転する。
【０００３】
しかし、トルク半径が小さくなることや、ステータを中心部に配置すると内部冷却などの問題が挙げられる。
そこで同期モーターの性能向上を図るための構造及び電流の制御等の改善を行う。
【０００４】
【発明が解決しようとする課題】
駆動系同期モーターに必要される出力特性を満足させる事であり、この出力トルクを向上させる上でロータ径を出来るだけ大きく採ることとする、又電気エネルギーを効率よく動力に変換し、電力消費率を低減させるための構造とする。
【０００５】
【課題を解決するための手段】
上記の問題を解決するため請求項１記載の本考案は、トルク半径を大きくするため回転磁界形成用の電機子コイルを巻装してなる円筒形ステータの外部に永久磁石で構成したロータを配置する。請求項２記載の本考案は請求項１記載事項のステータコアを中心部に配置した時の問題点である冷却をヨークの形状をコの字型とし改善する、また中空部シャフト側に請求項３記載の検地装置を配置する。前記より請求項３記載事項は同期モーターの回転座標制御における初期位置及び低回転時の制御をロータコアシャフト部の回転板（光磁気デスク）よりレンズヘッド（光磁気デスク用光学ヘッド）で読み取り制御装置へ送りそこで検地制御された電流が電機子に送られる。
【０００６】
【発明の実施の形態】
本考案の実施の形態を図に基づいて説明する。  図１に、実施例によるモーターの軸方向断面図を示す。１がヨークでコの字形をしており内部ヨークはシャフト軸受け部４に固定、後部開口は図２のドーナツ型のブラケット１０及びロータ受具８と９で構成され、３が円筒形ステータで内部ヨークに固定されており回転磁界を作り出し、その外周を円筒形ロータ２が同期して回転する。
【０００７】
６が光磁気デスク用光学ヘッドでシャフト５に取り付けられた７の光磁気デスク（回転板）をよみロータ２の初期位置や低回転時のタイミングを検知し制御装置へ送り制御電流がステータ３の電機子コイルに送られる。
【０００８】
またヨーク後部Ａ−Ｂは開口しておりヨークのコの字形により、回転検知部６及び７のメンテナンスだけでなく、冷却効果を向上させる構造としているため、水冷空冷問わず用いることが出来る。
【０００９】
【発明の効果】
以上説明したように本考案のモーターは、ロータ及びステータの構造と配置を改善する事により、始動時の安定やトルクの増大を図る事ができ、冷却に於いても効果的な構造としている。
【図面の簡単な説明】
【図１】永久磁石形同期モーターの軸方向の断面図である。
【図２】図１モーターのＤ−Ｄ断面図である。
【符号の説明】
１    ヨーク（モーターケース）
２    円筒形永久磁石ロータ
３    円筒形電機子ステータ
４    ロータシャフト受
５    シャフト
６    光磁気デスク用光学ヘッド
７    光磁気デスク用回転板
８    内側ロータ受
９    外側ロータ受
１０    後部ブラケット
【図１】
2004215448.tif 000003
【図２】
2004215448.tif 000004
(57)【要約】【課題】今までに薄くて、突起部分や回転軸がないモーターはなかった。【解決手段】従来のモーターの形状を大きく変え軸をなくし回転部分を空洞にしリング状にしたものである。（符号４）こうした薄型でリングの形状を最大限利用し内側空洞部分を数枚の羽を装着し回転させれば風をおこす事も可能であり、水中においては推進力にもなりえる。又、逆に空洞部分に風を通すことで電気の発生にも応用できる。以上のことにおいてリング型モーターは今後多方面において活用できるものである。【選択図】  図１
2004215487.tif 000002
【特許請求の範囲】
【請求項１】
従来のモーターの回転軸（内心軸）をなくし、軸の部分を空洞にして、回転部分をリング状にした。
【請求項２】
リング状になった回転部分にコイルを巻いた鉄心を回転する方向に対して、ななめに傾斜させて取り付ける。これによりリング部分を薄くする事が出来る。
【発明の詳細な説明】
【発明の詳細な説明】
【技術分野】
【０００１】本発明は、モーターの回転部分をリング状にすることにより回転力を失う事なく、さらに薄くかつ軽量にし空洞部分を利用するものである。
【背景技術】
【０００２】従来は回転軸にコイルを巻いて回転させるものである。
【発明が解決しようとする課題】
【０００３】従来の扇風機などはモーターの回転軸に羽をつけて回転させ風を起こすが、扇風機自体を薄くしようとすれば、モーター本体が突起物となり限界があった。
【課題を解決するための手段】
【０００４】モーターの回転部分をリング状にしたため、空洞部分に羽をつける事によりモーター自体と羽が一体化され薄く出来る。
【発明を実施するための最良の形態】
【０００５】以下、本発明の実施の形態について説明する
（イ）リング状の本体にコイルを巻いた鉄心を回転方向に対して、ななめに傾斜させて６個組み込ませる。
（ロ）コイルを巻いた鉄心を対角線上につなぎ合わせる。
（ハ）本体の外側部分にブラシをそれぞれの鉄心に接続する。
（二）本体回転部分の台座の板にベアリングを装着し本体をはめ込む。
（ホ）両側台座板の片方に内径に沿ってブラシがあたるように薄い銅版を４枚はりつける。
（ヘ）アクリル板にリングの内径と同じく円を切り抜いて鉄心の位置に合わせて磁石を装着する。
（ト）外枠の板にリングの内径と同じく円を切り抜いて両側からはさみ、ボルトで固定する。
（チ）薄い銅版に配線をつなぎ合わせバッテリーに接続する。
【発明の効果】
【０００６】回転する部分に軸がないためリング状にする事が出来、内側の空洞部分に羽をつけ回転させれば風をおこすことができる。
【図面の簡単な説明】
【図１】本発明の正面図である。
【図２】本発明の断面図である。
【符号の説明】
１外枠の板
２ベアリング
３磁石
４本体
５コイルを巻いた鉄心
６ブラシ
７回転部分の台座の板
８台座の板（側面）
９空洞の部分
１０アクリル板
１１バッテリー
１２配線
１３薄い銅版
１４固定ボルト
１５固定ナット
【図１】
2004215487.tif 000003
【図２】
2004215487.tif 000004
(57)【要約】【目的】高域の縦電流不平衡減衰特性を改善したスプリッタ用チョークコイル構造の提供を目的とする。【構成】チョークコイル１１は、コア１６がボビンの中空部１５に装着し、ボビン下方には複数の端子１４が設けられ、ボビン１２のコイル巻幅方向にボビン１２の一部である分割壁１３より分割され、分割された分割巻枠内で、コイル巻回軸である図の中央より、内層部のＮ２、中層部のＮ３、外層部のＮ１が巻回し、前記階層毎のコイルによって、３回路コイルを構成するものである。【選択図】        図１
2004356122.tif 000002
【特許請求の範囲】
【請求項１】
コアを組み込む中空部を有するボビンに巻回するコイルが、ボビンのコイル巻枠の巻回軸側より内層部、中層部、外層部と構成されるチョークコイルにおいて、ボビンのコイル巻枠が巻幅方向に分割され、該分割により構成された分割巻枠内で、コイルが内層部、中層部、外層部を形成し、かつ、前記内層部コイル、中層部コイル、外層部コイルが階層毎にチョークコイルのコイル回路を形成することを特徴とするスプリッタ用チョークコイル。
【請求項２】
ボビンの分割壁により分割されるコイルは、階層毎で前記分割壁による分岐箇所のないひとつのコイルからなることを特徴とする請求項１記載のスプリッタ用チョークコイル。
【発明の詳細な説明】
【０００１】
【発明の属する技術分野】
本発明は、ブロードバンド（広帯域通信網）技術によるデータ受送信機器回路に搭載されるチョークコイルに関するものである。
【０００２】
【従来の技術】
図を用いて従来のスプリッタ用チョークコイルを説明する。図４は従来のチョークコイル５１の断面図である。チョークコイル５１は、図５に示す回路構成の３回路用のチョークコイルであり、コア５６がボビン５２の中空部５５に装着し、ボビン５１のコイル巻枠には、コイル巻枠の巻回軸である図の中央より、コイルＮ２、コイルＮ３、コイルＮ１が巻回し、複数本設けられた端子５４に接続する構造である。
【０００３】
ブロードバンドのひとつであるＡＤＳＬ（Ａｓｙｍｍｅｔｒｉｃ  Ｄｉｇｉｔａｌ  Ｓｕｂｓｃｒｉｂｅｒ  Ｌｉｎｅ）は、その通信速度の高速化がはかられ、近年では１０Ｍｂｐｓを越えている。この通信速度の高速化は、データを搬送する周波数帯域を広げることにより、高速化を実現したものである。
【０００４】
しかし、図４に示す従来のチョークコイルでは、スプリッタ用チョークコイルの特性評価のひとつである縦電流不平衡減衰特性において、高域の減衰量が低くそのため、データの通信速度の高速化を阻害し、通信速度に制限をかけるものであった。
【０００５】
なお、スプリッタ用コイル部品であるトランスの縦電流不平衡減衰特性を改善するものとして、コイル巻回軸に近いほどコイル巻枠巻幅を小さくし、線間容量を変化させるものがある。（例えば、特許文献１参照）
【０００６】
【特許文献１】
特開平１１−２０４３４７
【０００７】
【発明が解決しようとする課題】
しかしながら、特許文献１はトランスに関するものであり、また高域における縦電流不平衡減衰特性を改善するものではない。本願発明者は、高域における縦電流不平衡減衰特性が、チョークコイルの等価容量に起因することを見い出し、チョークコイルとしての等価容量を改善したスプリッタ用チョークコイルを提供するものである。
【０００８】
【課題を解決するための手段】
本発明は、コアを組み込む中空部を有するボビンに巻回するコイルが、ボビンのコイル巻枠の巻回軸側より内層部、中層部、外層部と構成されるチョークコイルにおいて、ボビンのコイル巻枠が巻幅方向に分割され、該分割により構成された分割巻枠内で、コイルが内層部、中層部、外層部を形成し、かつ、前記の各内層部コイル、中層部コイル、外層部コイルが階層毎でチョークコイルのコイル回路を形成するスプリッタ用チョークコイルである。
【０００９】
また本発明は、ボビンの分割壁により分割されるコイルは、階層毎で前記分割壁のよる分岐箇所のないひとつのコイルである上記記載のスプリッタ用チョークコイルである。
【００１０】
本発明のチョークコイルの構造により、チョークコイルの等価容量を低減することができ、スプリッタ用チョークコイルの特性評価のひとつである縦電流不平衡減衰特性が高域において、高い減衰量を得ることができる。
【００１１】
【発明の実施の形態】
本発明の実施の形態を図を用いて説明する。図１は本発明のスプリッタ用チョークコイルの構造を示す断面図である。本発明のチョークコイル１１は、コア１６がボビン１２の中空部１５に装着し、ボビン下方には複数の端子１４が設けられ、ボビン１２のコイル巻幅方向にボビン１２の一部である分割壁１３によりコイル巻枠が分割され、分割された分割巻枠内で、コイル巻回軸である図の中央より、内層部のＮ２、中層部のＮ３、外層部のＮ１が巻回し、前記階層毎のコイルによって、図５に示すチョークコイルの３回路コイルを構成するものである。
【００１２】
本発明のチョークコイルは、図１に示すボビン１２の分割壁１３により、Ｎ２，Ｎ３，Ｎ１の各コイルを分岐あるいは分断することなく分割構成することにより、チョークコイルの等価容量を低減できたものである。
【００１３】
本発明の実施例として、図１に示す本発明のチョークコイルと図４に示す従来のチョークコイルとの特性比較を実施した。図２はチョークコイルの等価容量の特性図。図３は縦電流不平衡減衰量の特性図である。なお、チョークコイルの等価容量とは、チョークコイル全体の誘電容量を表したもので、図５に示すチョークコイルの回路図で、端子▲３▼−▲４▼間を短絡し、▲１▼−▲５▼間の誘電容量をチョークコイルの等価容量とした。
【００１４】
図２の等価容量の比較では、本発明例が従来例に比べ周波数帯域全体で等価容量が低く、本発明のチョークコイルは、等価容量が著しく改善できていることがわかる。また、図３の縦電流不平衡減衰特性では、６００ｋＨｚまでは同等の特性であるが、２ＭＨｚ付近より本発明例は従来例より高い縦電流不平衡減衰量を得ていることがわかり、これは本発明の目的である高域での縦電流不平衡減衰特性が改善できたものであり、図示より本発明例は周波数帯域全体で５０ｄＢ以上の減衰効果を発揮することができるスプリッタ用チョークコイルである。
【００１５】
【発明の効果】
本発明のチョークコイルは、周波数帯域全体で良好な縦電流不平衡減衰特性を有し、特に高域においては従来技術に比べその効果が大きく、ブロードバンドの高速化を進展させるものである。
【図面の簡単な説明】
【図１】本発明のスプリッタ用チョークコイルの構造を示す断面図
【図２】本発明のスプリッタ用チョークコイルの等価容量特性図
【図３】本発明のスプリッタ用チョークコイルの縦電流不平衡減衰量特性図
【図４】従来のスプリッタ用チョークコイルの構造を示す断面図
【図５】３回路のチョークコイル回路図
【符号の説明】
１１  チョークコイル
１２  ボビン
１３  分割壁
１４  端子
１５  中空部
１６  コア
【図１】
2004356122.tif 000003
【図２】
2004356122.tif 000004
【図３】
2004356122.tif 000005
【図４】
2004356122.tif 000006
【図５】
2004356122.tif 000007